(57)【要約】【課題】結婚披露宴等の各種パーティーや式典において配られる席次表であって、他人の興味を惹き、式終了後も思い出の品として記念に保存できるような席次表を提供すること。【解決手段】列席者の氏名が記載されている氏名部３ｃと、該氏名部３ｃとは別に、列席者の紹介、当該席に着席する人へのメッセージ、当該席に着席する人からのメッセージのいずれか一つ以上が記載されているメッセージ部３ｄとが設けられていることを特徴とする。【選択図】  図３
2005324472.tif 000002
【特許請求の範囲】
【請求項１】
結婚披露宴等の各種パーティーや式典において、列席者に配布される席次表であって、
列席者の氏名が記載されている氏名部と、
該氏名部とは別に、列席者の紹介、席に着席する人へのメッセージ、当該席に着席する人からのメッセージのいずれか一つ以上が記載されているメッセージ部とが
設けられていることを特徴とする席次表。
【請求項２】
前記メッセージ部は、氏名部の下に設けられていることを特徴とする請求項１に記載の席次表。
【請求項３】
前記席次には列席者の写真が掲載されている写真部が設けられていることを特徴とする請求項１乃至請求項２のいずれかに記載の席次表。
【請求項４】
挨拶が記載された挨拶部、主催者又は主賓のエピソードが記載されているエピソード部、式次第が記載されている式次第部、祝辞が記載されている祝辞部、メニューが記載されているメニュー部、新居案内が記載されている新居案内部のうちいずれか１つ以上が設けられていることを特徴とする請求項１乃至請求項３のいずれかに記載の席次表。
【請求項５】
各記載の一部または全部は
主催者等の自筆文字で記載されていることを特徴とする請求項１乃至請求項４のいずれかに記載の席次表。
【請求項６】
前記メニュー部の付近には料理長等のサインが記載されていることを特徴とする請求項４乃至請求項５のいずれかに記載の席次表。
【請求項７】
列席者の名前が記載されている席札部が設けられ、席札として利用できることを特徴とする請求項１乃至請求項６のいずれかに記載の席次表。
【請求項８】
前記席次表が複数枚からなる場合において、前記複数枚の席次表は一つにまとめられていることを特徴とする請求項１乃至請求項７のいずれかに記載の席次表。
【請求項９】
複数枚のページの端が階段状にずらされていることを特徴とする請求項８に記載の席次表。
【請求項１０】
席次表の端部分に項目等が記載されているインデックス部が設けられていることを特徴とする請求項９に記載の席次表。
【請求項１１】
写真等を挟めるホルダ、または切り込みが設けられていることを特徴とする請求項１乃至請求項１０のいずれかに記載の席次表。
【発明の詳細な説明】
【技術分野】
【０００１】
本発明は、結婚式披露宴等で使用する席次表に関するものである。
【背景技術】
【０００２】
従来より、結婚式の際には各人に席次表が配られていた。しかしながら従来の席次表は単なる座席の位置を確認するためのものであり、列席者の氏名の他に、通常新郎新婦との間柄が掲載されるが、他人の興味を惹くことがなく退屈なものであった。
また、座席が近い人が他人であった場合に、上記の情報のみでは人柄が把握できないため、列席者同士の親睦が深まらないという欠点があった。
また、これらのガイド表等は式終了後不要となるため、捨てられてしまうのが通常であった。
【発明の開示】
【発明が解決しようとする課題】
【０００３】
本発明は上記した従来技術の欠点を除くためになされたものである。
【発明の効果】
【０００４】
本発明は、席次表に氏名記載部とは別に列席者の紹介やメッセージが記載されたメッセージ部を設けることで他人の人柄や趣味等を把握する事ができるため他の列席者への理解が深まる。そのため、会話も弾み、列席者同士の親睦を深めることができるという効果を奏する。また、他人が見ても興味を持てる内容を掲載する事によって、式をよりいっそう楽しいものにすることができる。また、式終了後も思い出の品として記念に保存しておくことができる。
【課題を解決するための手段】
【０００５】
請求項１に記載の発明の要旨は、結婚披露宴等の各種パーティーや式典において、列席者に配布される席次表であって、列席者の氏名が記載されている氏名部と、該氏名部とは別に、列席者の紹介、席に着席する人へのメッセージ、当該席に着席する人からのメッセージのいずれか一つ以上が記載されているメッセージ部とが設けられていることを特徴とする席次表に存する。
また、請求項２に記載の発明の要旨は、前記メッセージ記載部は、氏名部の下に設けられていることを特徴とする請求項１に記載の席次表に存する。
また、請求項３に記載の発明の要旨は、前記席次には列席者の写真が掲載されている写真部が設けられていることを特徴とする請求項１乃至請求項２のいずれかに記載の席次表に存する。
また、請求項４に記載の発明の要旨は、挨拶が記載された挨拶部、主催者又は主賓のエピソードが記載されているエピソード部、式次第が記載されている式次第部、祝辞が記載されている祝辞部、メニューが記載されているメニュー部、新居案内が記載されている新居案内部のうちいずれか１つ以上が設けられていることを特徴とする請求項１乃至請求項３のいずれかに記載の席次表に存する。
また、請求項５に記載の発明の要旨は、各記載部の一部または全部は主催者等の自筆文字で記載されていることを特徴とする請求項１乃至請求項４のいずれかに記載の席次表に存する。
また、請求項６に記載の発明の要旨は、前記メニュー部の付近には料理長等のサインが記載されていることを特徴とする請求項４乃至請求項５のいずれかに記載の席次表に存する。
また、請求項７に記載の発明の要旨は、列席者の名前が記載されている席札部が設けられ、席札として利用できることを特徴とする請求項１乃至請求項６のいずれかに記載の席次表に存する。
また、請求項８に記載の発明の要旨は、前記席次表が複数枚からなる場合において、前記複数枚の席次表は一つにまとめられていることを特徴とする請求項１乃至請求項７のいずれかに記載の席次表に存する。
また、請求項９に記載の発明の要旨は、複数枚のページの端が階段状にずらされていることを特徴とする請求項８に記載の席次表に存する。
また、請求項１０に記載の発明の要旨は、席次表の端部分に項目等が記載されているインデックス部が設けられていることを特徴とする請求項９に記載の席次表に存する。
また、請求項１１に記載の発明の要旨は、写真等を挟めるホルダ、または切り込みが設けられていることを特徴とする請求項１乃至請求項１０のいずれかに記載の席次表に存する。
【発明を実施するための最良の形態】
【０００６】
以下本発明を図面に示す本実施の形態に基づいて説明する。本実施の形態に係る席次表は、図１〜図５に示すような各ページを冊子状に束ねたものである。
図１は本実施の形態に係るガイド表の上視図であり、１は表紙である。２a、３ａ、４ａはそれぞれのページの掲載内容を表すインデックス部であり、そのページに記載されている内容の項目名が記載されており、閉じた状態においても上から見てどこに何が記載されているか判断できる。
【０００７】
図２は本実施の形態に係る席次表２，３ページの見開き図である。左ページ（２ページ目）には、挨拶文や感謝の言葉が記載された挨拶部２ｂが設けられている。右ページ（３ページ目）にはメニューが記載されたメニュー部２ｃが設けられている。
また、メニューの欄の近く、例えばメニューのページの右下等にシェフ等のサインが記載されたサイン部２ｄが設けられている。
【０００８】
図３は本実施の形態に係る席次表４，５ページの見開き図であり、席次に対応して各項目が記載されている。間柄部３ｂには例えば新婦友人、新郎叔母等といった、新郎新婦との間柄が記載されている。氏名部３ｃには列席者の氏名が記載されている。その下には列席者紹介や、新郎新婦からのメッセージが記載されているメッセージ部３ｄが設けられている。例えば、列席者の家族構成や趣味、特技、職業、新郎新婦からの日ごろの感謝の言葉が記載されている（図６）。なお、各項目の位置はどこでも良いが、氏名部の下に該当する列席者のメッセージ部が設けられていると対応が分かりやすくてよい。
また、列席者の氏名部等の近くに列席者の写真が掲載された写真部を設けてもよい。
なお、メッセージは新郎新婦から列席者に対してのメッセージでも、列席者からのメッセージでもよいが新郎新婦から列席者に対してのメッセージは事前の準備が容易で、席次表を手にする列席者自身が自分に宛てられたメッセージを読み、楽しむことができるという点で好ましい。
３ｅはテーブル名が記載されたテーブル部であり、通常花の名前や錦、鶴、亀等と記載するが、新郎新婦の好きな町の名前等を用いてもよい。なお、席次の欄は冊子の真ん中のページにすると開きやすくてよい。
【０００９】
図４は本実施の形態に係る席次表６，７ページの見開き図である。４ｂには幼い頃からの写真、例えば小学校、高校等の遠足等の写真や新郎と新婦が出会った時期の写真が掲載されている。また、エピソード部４ｄにはその際のエピソードが記載されている。また、４ｃ，４ｅ〜４ｇにはそれぞれ新郎新婦のプロフィールやお互いの第一印象や理想の家族についてのインタビューが記載されている。
【００１０】
図５は本実施の形態に係る席次表の下視図であり、新居案内が記載された新居案内部５が設けられている。新居案内部５には地図５ｇや住所５ｅの他に例えば、新居付近のお店の紹介５ｃ，５ｄ等が記載されている。
【００１１】
これらの他に式次第が記載された式次第部を設けてもよい。
【００１２】
席次表の大きさとしては、手で持ちやすく、扱いやすいものがよく、横１５ｃｍ×縦２０ｃｍ程度が望ましい。
材質としては紙が一般的である。分厚く丈夫なものにしても良いし、和紙等で柔らかい雰囲気を演出しても良い。
デザインは全体として統一されているものが望ましい。例えば、花柄、景色、スポーツ等をテーマにした模様、新郎新婦のイニシャルを利用したロゴ等を利用してもよい。
また、招待状、結婚報告はがき、席札、サンキューカード、ウェルカムボード、ミニカード等の結婚式で使用される小物とデザイン、色、模様に統一感があるものを用いると良い。
また、文字、絵、模様は筆記具により手書きされたものであっても、印刷機により印刷されたものであってもよい。また、新郎新婦等の自筆の文字が印刷されたものであってもよく、一部（例えば挨拶）のみが自筆文字で記載されたものであってもよい。
【００１３】
席次表が複数枚であった場合にまとめる方法として、例えば、複数枚を重ねてホッチキスでまとめても良いし、複数の席次表を重ねて折り畳むことによってまとめてもよい。または更に折り畳んだ部分はリボン（紐）やステープラー、線糊等でまとめても良い。
また、各種項目が全て１枚の印刷物に記載されていても良く、この場合は例えば屏風折り等により折り畳むことによりコンパクトにして、扱いやすくすることもできる。
【００１４】
図７に示されるように、１ページ目（或いは表紙）は２ページ目と比べて幅が狭くなるように構成されており、２ページ目以降も同様にすることにより、各ページの端の部分が上面から目視できるように構成されている。
例えば、同サイズの複数の印刷物を文字が記載できる程度（５mm前後）の適当な間隔をあけてずらし、折り畳むことによりこのような構成とすることができる。
また、この場合においては各ページの端部分の間隔部分に該当ページの項目名が記載されている。例えば挨拶文とメニューが記載されているページであればＭｅｓｓａｇｅ＆Ｍｅｎｕ等と記載されている。なお、図７及び図８は、見やすくするために厚み及び隙間を実際より多く設けている。したがって、実際には折り畳んでいる部分の高さは長さや幅に比べて極めて小さい。外側の用紙と内側の用紙は実際には同サイズのものである。
【００１５】
本発明は、席次表に席次記載部分とは別に列席者の紹介やメッセージが記載されたメッセージ部を設けることで他人の人柄や趣味等を把握する事ができるため他の列席者への理解を深め列席者同士の親睦を深めることができるという効果を奏する。また、他人が見ても興味を持てる内容を掲載する事によって、氏名のみ掲載していた従来の席次表と比べて興味を惹くことができるため、式をよりいっそう楽しいものにすることができる。
また、写真が掲載された写真部を設けることによって列席者がお互いの顔と名前を確認でき、席を離れた後であっても名前を間違えないようにすることができる。
【００１６】
また、複数枚にわたる場合には、それらがまとまっている構成によって、取り扱い及び管理を容易にすることができる。また、コンパクトにまとめられるため式の間にテーブルに置くことができ、必要なときに式の進行やメニュー等必要な項目をすぐに見ることができ、複数枚から必要なものを選択する手間が省ける。
また、扱い、保管が容易であるため、式終了後も思い出の品として記念に保存しておくことができる。
インデックス表示となっていることにより、一目で掲載内容を目視する事ができ、希望のページを捲ることによって、希望通りの項目をさらに短時間で見ることができる。
【００１７】
なお、いずれかのページに例えば、切り込みを入れ、または、袋状にすることによりホルダを設けても良い。例えば真ん中より右下に５ｃｍ〜１０ｃｍ位の切り込みを斜めに形成すると写真を挟みやすく好ましい。また、切り込みは湾曲していてもよい。また、ページの一部（例えば右下の角）を二重に構成してホルダを設けてもよい。
このように構成する事によって後に結婚式の時の写真等を入れることができ、便利である。また、写真と席次表を一緒に保存しておけるため後で式の状況をより鮮明に思い出すことができる。
【００１８】
前記席次表の表紙または裏表紙には列席者の名前を記載する部分を設け、席札として利用できるように構成しても良い。
このような構成によって、冊子を少し開いた状態で、見開きの端の部分を下にすることにより、底面が広くなり安定させて立たせることができるため、席札部を椅子の方に向けてテーブルに置くことにより、席札としても利用できる。
この場合、列席者の氏名は会場内の離れた場所から目視できる程度（一文字が２ｃｍ四方に収まる程度）の大きさが望ましい。
また、例えば外側のページに切り込み、差込を設けそれらを互いに嵌め合わせ可能に構成しても良い。このような構成によって容易に立てることができ、扱いやすい。さらには、式場で案内表を配布する作業を減らすことができ、資源、手間の無駄を防止することができる。また、名前が記載されているため、所有者が明確となり、他人の席次表と間違えることもなくなる。
【００１９】
なお、本発明は上記実施例の大きさ、材質、デザイン、ページ数、記載位置等の構成に限られず、本発明の趣旨を逸脱しない範囲で適宜変更することができる。
また、本明細書、請求の範囲において“席次表”と記載しているが、席次を示すもののみが記載されているものに限らず、席次以外の項目、例えばメニュー等が合わせて記載されている案内表等も含むものとする。
また、本発明に係る席次表に記載される各種の項目は一つのものに印刷されていても良く、複数のページからなるものであっても良い。
【００２０】
また、本発明の席次表は結婚披露宴に限らず各種パーティーや式に適用可能である。
例えば受賞パーティーにおいては、メッセージ部にお祝いの言葉を記載し、エピソード部に受賞者の経歴、受賞に至るまでのエピソード、過去の作品等を記載するとよい。
また、葬儀や法事の場合にはメッセージ部に故人との思い出を記載し、エピソード部に、故人が生前成し遂げた功績等を記載するとよい。
【図面の簡単な説明】
【００２１】
【図１】本実施の形態にかかる席次表の上視図
【図２】本実施の形態にかかる席次表の２、３ページの見開き図
【図３】本実施の形態にかかる席次表の４，５ページの見開き図
【図４】本実施の形態にかかる席次表の６，７ページの見開き図
【図５】本実施の形態にかかる席次表の下視図
【図６】メッセージ記載部等３ｇの拡大図
【図７】本実施の形態にかかる席次表の正面図
【図８】本実施の形態にかかる席次表の右側面図
【符号の説明】
【００２２】
１          表紙
２ａ        インデックス部
２ｂ        挨拶部
２ｃ        メニュー部
２ｄ        サイン部
３ａ        インデックス部
３ｂ        間柄部
３ｃ        氏名部
３ｄ        メッセージ部
４ａ        インデックス部
４ｄ        エピソード部
５          新居案内部
【図１】
2005324472.tif 000003
【図２】
2005324472.tif 000004
【図３】
2005324472.tif 000005
【図４】
2005324472.tif 000006
【図５】
2005324472.tif 000007
【図６】
2005324472.tif 000008
【図７】
2005324472.tif 000009
【図８】
2005324472.tif 000010